(57)【要約】追記アイテムであるように備えられたデータ担体においてデータを区分する方法について開示している。その方法は、前記データ担体の第１領域に映像データコンテンツを書き込む第１段階と、データ担体の第２領域に他のデータコンテンツを書き込む第２段階と、例えば、ファイナライズ処理中に、対応する第１及び第２領域のそれぞれのデータレイアウトを記録するために、実質的に互いに独立した第１及び第２ディレクトリを書き込む段階と、を有する。そのような区分化であって、映像データコンテンツと、他のデータコンテンツ、例えば、静止画データとの区分化は、例えば、ＤＶＤ  Ｒデータ担体として実施されるデータ担体を、他のデータ担体フォーマット、例えば、ＤＶＤ  ＲＷと非常に互換的であるようにすることにおいて有利である。
2008502088.tif 000002
【特許請求の範囲】
【請求項１】
追記アイテムであるように備えられたデータ担体においてデータを区分する方法であって：
（ａ）前記データ担体の第１領域に映像データコンテンツを書き込む段階；
（ｂ）前記データ担体の第２領域に他のデータコンテンツを書き込む段階；並びに
（ｃ）対応する第１及び第２領域のそれぞれのデータレイアウトを記録するために、実質的に互いに独立した第１及び第２ディレクトリを書き込む段階；
を有する方法。
【請求項２】
請求項１に記載の方法であって、前記映像データコンテンツ及び前記他のデータコンテンツが前記データ担体においてファイナライズ処理されるようになっているとき、前記第１及び第２ディレクトリを結合する段階を有する、方法。
【請求項３】
請求項１に記載の方法であって、前記第１及び第２領域が前記データ担体において互いに空間的に区別可能であるように備える段階を有する、方法。
【請求項４】
請求項１に記載の方法であって、前記データ担体はＤＶＤ  Ｒ追記アイテムである、方法。
【請求項５】
請求項１に記載の方法であって、前記第１領域のデータ構造を表すためのＲＳＡＴ（Ｒｅｌｉａｂｉｌｉｔｙ  ａｎｄ  Ｓｙｓｔｅｍ  Ａｒｃｈｉｔｅｃｔｕｒｅ  Ｔｅｓｔｉｎｇ）機能及び前記第２領域のデータ構造を表すためのＵＤＦ情報を含む段階を有する、方法。
【請求項６】
請求項１に記載の方法であって、前記第１領域は単一の大きい映像ファイルとして実質的に指定される、ことを特徴とする方法。
【請求項７】
請求項１に記載の方法であって、前記第１及び第２ディレクトリは互いに独立して書き込み可能である、方法。
【請求項８】
請求項１の方法に記載の、映像データコンテンツ及び他のデータコンテンツを有するデータ担体。
【請求項９】
追記データ担体にデータを書き込むための装置であって、請求項１の方法に記載のデータ担体にデータを書き込むように備えられた、装置。
【発明の詳細な説明】
【技術分野】
【０００１】
本発明は、データ担体においてデータを区分する方法に関し、特に、本発明は、例えば、データコピー目的で、反復読み取り（ＲＷ）データ担体においてデータを区分する方法に関するが、それに限定されるものではない。更に、本発明はまた、前記のデータを区分する方法を用いる方式で、追記（Ｒ）データ担体にデータを記録するように備えられる装置に関する。
【背景技術】
【０００２】
そのようなコンパクトディスク（ＣＤ）及びデジタルビデオディスク（ＤＶＤ）等の光データ担体は、今日、それらのデータ担体により提供される比較的大きいデータ記憶容量故に、画像及びビデオデータを搬送するために、現在、広く用いられるようになっている。概観すると、それらのデータ担体は、実質的に光透過性プラスチック材料の第１及び第２層間に一体的に挟まれた１層又はそれ以上の金属層を有する、実質的に円形平面の部品である。１層又はそれ以上の金属層のための種々の化学的組成物が、所望の特性に応じて用いられる。例えば、１層又はそれ以上の金属層は、現在のＤＶＤ  ＲＷディスクにおけるように、一回記録可能であるように製造されている。代替として、１層又はそれ以上の金属層は、今日のＤＶＤ  ＲＷディスクにおけるように、データを反復的に記録するためにレーザ照射に応じてユーザが更新することができるように組成される。現在、複数のメーカーのＤＶＤデータ担体及びＤＶＤ装置の互換性を確実にするように、種々の規格、例えば、国際規格ＩＳＯ  ９６６０が規定されてきた。特に、Ｏｐｔｉｃａｌ  Ｓｔｏｒａｇｅ  Ｔｅｃｈｎｏｌｏｇｙ  Ａｓｓｏｃｉａｔｉｏｎ（ＯＳＴＡ）は、光データ記憶技術のための規格を定める役割を果たす機関である。承認されている規格には次のようなものがある。
（ａ）ＤＶＤ＋Ｒ  Ｐｈｙｓｉｃａｌ  Ｓｔａｎｄａｒｄ  Ｖｅｒｓｉｏｎ  １．２
（ｂ）ＤＶＤ＋ＲＷ  Ｐｈｙｓｉｃａｌ  Ｓｔａｎｄａｒｄ  Ｖｅｒｓｉｏｎ  １．２
（ｃ）ＤＶＤ＋ＲＷ  Ｖｉｄｅｏ  Ｓｔａｎｄａｒｄ  Ｖｅｒｓｉｏｎ  ２．０（ＤＶＤ  ＲＷのためのＤＶＤ＋ＶＲ）
（ｄ）ＭＭＣ４  ｖｅｒｓｉｏｎ  ｅ  Ｓｔａｎｄａｒｄ
（ｅ）ＵＤＦ  １．５
（ｆ）ＤＶＤ＋Ｒ  Ｖｉｄｅｏ  Ｓｔａｎｄａｒｄ  Ｖｅｒｓｉｏｎ  １．２（ＤＶＤ  ＲのためのＤＶＤ＋ＶＲ）
それらの規格（ａ）乃至（ｅ）は、特に、ＤＶＤデータ担体が、現在、市販されているＤＶＤ読み出し／書き込み装置と互換性のあるようにするように、ＤＶＤデータ担体に記録されているデータ構造についてのレイアウトを規定している。
【０００３】
現在、図１を参照するに、単一の光ディスクデータ担体１０、例えば、上記の規格（ｂ）を満足するＤＶＤ  ＲＷディスクデータ担体において映像を静止ピクチャと組み合わせることが可能である。そのようなデータ担体についてのデータ構造は、上記の規格（ｃ）において規定されていて、それらの構造は、編集可能なデータ担体１０にデータが記憶されようにするように備えられている。編集を支援するように、ピクチャデータは、映像データに関連するディスクデータ担体の個別の領域に記録される、即ち、ピクチャデータは、映像データに割り当てられている先行領域３０の後に、ディスク担体１０の端部領域２０に記憶される。ディレクトリ情報は、ディスク担体１０の開始領域４０に含まれ、この領域４０は、映像及びピクチャデータコンテンツのアイテムがディスク担体１０において記録されているところを示すディレクトリデータを受け入れるために空白が残されている。データ担体１０におけるデータコンテンツの後続の更新は、開始領域４０に上書きすることによりなされる。矢印４５は、担体１０の最初の記憶トラックからその最終の記憶トラックまでの書き込み方向を示している。
【０００４】
そのような個別のデータ構造については、米国特許出願公開第２００３／０２１０８９５号明細書にＤＶＤ  ＲＷデータ担体に関して記載されている。この特許文献においては、記録されているＤＶＤ映像ファイルが、例えば、ＴＡＭ＿ＶＭＧＩにしたがって、暫定的映像マネージャ（ＶＭＧＩ）にしたがって管理されるＤＶＤ  ＲＷデータ担体について開示されている。更に、ＤＶＤ  ＲＷデータ担体はまた、中間管理情報にしたがって、例えば、ＴＭＰ＿ＥＸＴＩにしたがって管理されるＤＶＤ映像ファイル以外の拡張ファイルを含む。拡張ファイルは、例えば、ＪＰＥＧ符号化画像データコンテンツを含む。更に、ＤＶＤ映像ファイルと拡張ファイルの組み合わせを記録し、テンポラリスペースを管理するように、暫定映像マネージャ（ＶＭＧＩ）に付加されるユニバーサルディスクフォーマット（ＵＤＦ）のために用いられるテンポラリスペースビットマップ、即ち、ＴＭＰ＿ＳＢＭを備えている。そのようなデータ構造を用いることにより、テンポラリスペースは、拡張ファイルが削除されたときでさえ、テンポラリスペースビットマップ（ＴＭＰ＿ＳＢＭ）から認識され、それ故、ＤＶＤ  ＲＷデータ担体は、ファイナライズ処理においてＤＶＤ  Ｒと互換性が与えられる。このように、動画以外に静止画のファイルが、データ担体の何れの記録領域の削除からもたらされるテンポラリスペースにパッド情報と共にＤＶＤ  ＲＷデータ担体にファイルとして記録される。
【特許文献１】米国特許出願公開第２００３／０２１０８９５号明細書
【発明の開示】
【課題を解決するための手段】
【０００５】
本発明者は、現在、ＤＶＤデータ担体に２つのデータフォーマットが存在することを理解している。
【０００６】
第１のデータフォーマットは、ＤＶＤ  ＲＷ型及びＤＶＤ  Ｒ型のデータ担体両方で用いられる“映像モード”として知られている。映像モードで記録されるプログラムコンテンツは、１つの＜＞．ｉｆｏファイル、１つ又はそれ以上の＜＞．ｖｏｂファイル及び１つの＜＞．ｂｕｐファイルを各々含む映像タイトルセット（ＶＴＳ）としてＤＶＤ  ＲＷ及びＤＶＤ  Ｒデータ担体に記憶される。そのようなデータ担体においては、静止画に対応するデータコンテンツは、そのようなＶＴＳ間に記録される傾向にある。そのような静止画の記録がなされるとき、ＤＶＤ  ＲＷ及びＤＶＤ  Ｒデータ担体のために用いられるデータフォーマットは実質的に同じである。それ故、静止画データ及びＶＴＳはインターリーブ方式で存在する。
【０００７】
第２のデータフォーマットは、データコンテンツの部分上書き及び削除が可能である“ＤＶＤ＋ＶＲ”として知られている。第２のデータフォーマットがＤＶＤ  Ｒデータ担体のために用いられるとき、代表的なディレクトリ記録は維持されることを確実にするようにデータコンテンツが修正された後に、ファイナライズ処理が必要である。更に、ＤＶＤ  Ｒ及びＤＶＤ  ＲＷデータ担体に備えられている線形記録スペースの故に、データ担体に付加された静止画に対応するデータコンテンツは、好適には、別個の領域に記録される。データコンテンツの上書き及び削除のための処理は、データ部が任意に映像部に後続して記録されるＤＶＤ  ＲＷ型のデータ担体について規定されてきた。しかしながら、そのようなＤＶＤ  Ｒデータ担体の処理については、インクリメンタルな更新がＤＶＤ  Ｒデータ担体のためになされる方式に関連する困難性故に、未だに規定されていない。
【０００８】
それ故、例えば、メニュー更新及びファイナライズ処理手順に関して、そのようなデータ担体に対するデータコンテンツの更新がなされるとき、ＤＶＤ  Ｒ及びＤＶＤ  ＲＷデータ担体間の差に遭遇する。その差は、例えば、それらのデータ担体の型の一から他にデータをコピーするときには、些細ではない。
【０００９】
本発明者は、次のような２つの主な理由のために、ＤＶＤ  ＲＷ担体に対してできるだけ同じであるＤＶＤ  Ｒデータ担体におけるデータ構造のための形を採用することが好ましいことを認識した。
（ａ）ソフトウェア部品の再使用が可能になり、実際のディスクドライブハードウェアにおける実施がより簡単化されている。
（ｂ）ファイナライズ処理されたＤＶＤ  Ｒデータ担体のデータコンテンツがＤＶＤ  ＲＷデータ担体に結合されるとき、ＤＶＤデータ担体の特性に比べて、ＤＶＤ  Ｒデータ担体の特性間で違いが存在しないように、データは、再び編集するために利用可能になる。
【００１０】
本発明の目的は、それ故、ＤＶＤ  ＲＷ型のデータ担体と更に互換性があるＤＶＤ  Ｒ型のデータ担体についてのデータ構造を提供することである。
【００１１】
本発明の第１の特徴にしたがって、追記アイテムであるように備えられるデータ担体においてデータを区分する方法を提供し、その方法は次のような段階を有する。
（ａ）データ担体の第１領域に映像データコンテンツを書き込む段階
（ｂ）データキャリアの第２領域に他のデータコンテンツを書き込む段階
（ｃ）第１及び第２領域のそれぞれに対応するデータレイアウトを記録するために実質的に互いに独立した第１及び第２ディレクトリを書き込む段階
第１及び第２ディレクトリの使用は、映像データコンテンツが、他の型のデータコンテンツ、例えば、静止画データから非常に明らかに区別されることを可能にし、それにより、追加データコンテンツが追記データ担体に追加されたとき、両方のディレクトリを更新する必要はないようにされるという有利点を、本発明は有する。
【００１２】
好適には、その方法は、映像データコンテンツ及び他のデータコンテンツがデータ担体においてファイナライズ処理されるようになっているとき、第１及び第２ディレクトリを結合する段階を有する。
【００１３】
好適には、その方法は、第１及び第２領域がデータ担体において互いに空間的に区別可能であるように備えられる段階を有する。そのような区分は、ＤＶＤ  ＲＷ型のデータ担体において用いられるＤＶＤ＋ＶＲデータ構造と互換性がある従来の追記データ担体を与える、上記のデータタイプのインターリービングを回避する。ＲＳＡＴについては、米国特許出願公開第２００３／００６８１５９号明細書に記載されていて、そのＲＳＡＴについて、その文献の援用により本発明の説明の一部を代替する。追記データ担体における異なるタイプのディレクトリフォーマットに映像及びデータコンテンツの詳細を書き込むことは、最新のデータ担体読み取り装置と非常に広く互換性があるデータを与える。好適には、上記方法の段階（ｃ）においては、データ担体は、ＲＳＡＴ機能を用いて第１領域についてコンテンツのディレクトリを作成し、ＵＤＦ情報を用いて第２領域についてディレクトリを作成することにより閉じられるように備えられている。
【００１４】
好適には、第１領域は、実質的には単一の大きい映像ファイルであるようにデザインされている。
【００１５】
好適には、その方法において、第１及び第２ディレクトリは、互いに独立して書き込み可能である。
【００１６】
本発明の第２特徴にしたがって、本発明の第１特徴の方法にしたがった、映像データコンテンツ及び記録されている他のデータコンテンツを有するデータ担体を提供する。
【００１７】
本発明の第３実施形態にしたがって、追記データ担体にデータを記録するための装置であって、前記装置は、本発明の第１特徴の方法にしたがった、データ担体にデータを書き込むように備えられている、装置を提供する。
【００１８】
本発明の特徴は、本発明の範囲から逸脱することなく、何れの組み合わせで組み合わされることを可能にすることが理解できる。
【００１９】
本発明の実施形態については、以下、図を参照しながら、例示として詳述する。
【発明を実施するための最良の形態】
【００２０】
概観すると、本発明者は、ＤＶＤ  Ｒ及びＤＶＤ  ＲＷデータ担体両方のための互換性のある同じデータ構造を用いることが望ましいことを認識している。ＤＶＤ  Ｒデータ担体についてのデータレイアウトは、国際的な合意として既に確立されているため、本発明者は、本発明の発明においてＤＶＤ  Ｒデータ担体について確立された手法から外れることは有利であることを把握している。
【００２１】
上記のように、ＤＶＤ  Ｒデータ担体の映像データコンテンツ及び静止画コンテンツをインターリーブすることが、従来、なされている。そのような追記特性故に、ＤＶＤ  Ｒデータ担体にディレクトリ領域を上書きすること可能ではない。それ故、図２に示すＤＶＤ  Ｒデータ担体１１０の最初の領域１００は、一旦、それらのコンテンツが、ファイナライズ処理として処理されると、データ担体１１０のコンテンツの最終コピーを維持するように、ブランクのまま保たれる。データ担体コンテンツの詳細が最初の領域１００に書き込まれるまで、データ担体１１０は、“開”状態であると呼ばれる。データ担体１１０のコンテンツを更新するように、付加データコンテンツは、存在するデータコンテンツが書き込まれた存在領域１３０から後続の領域１２０に付加される。
【００２２】
例えば、図３においては、ユーザは、最初に、段階Ｓ１において、ＶＤＶ  Ｒデータ担体３２０の第１領域３１０に映像データコンテンツ（Ｖ）３００を記録する。続いて、段階Ｓ２において、ユーザは、第１領域３１０の後に、第２領域３４０に付加される幾つかの静止画データコンテンツ（ＳＰ）３３０を付加する。その後、段階Ｓ３において、ユーザは、第３領域３６０において、更なる映像データコンテンツ（Ｖ）３５０を付加する。続いて、ユーザは、第３領域３６０の後に、第４領域３８０において、静止画データコンテンツ（ＳＰ）３７０を付加する。最後に、ユーザは、ファイナライズ処理として、領域３１０、３４０、３６０、３８０のディレクトリ記録がデータ担体３２０の最初の領域１００に書き込まれるようにする。ＤＶＤ  Ｒデータ担体３２０におけるデータコンテンツは、区別可能な個別の映像及びデータ領域が割り当てられる図１に関連する、映像（Ｖ）及び静止画（ＳＰ）に関するインターリーブ方法の下にある。
【００２３】
図４に示すようなデータ担体５００が適用される今日のＤＶＤ＋ＶＲ規格がある。その規格は追記データ媒体に関するものである。データ担体５００は、３２Ｍｂの容量の第１トラック５１０（ＴＲ１）と、映像データコンテンツが書き込まれる第２トラック５２０（ＴＲ２）とを有する。記録装置６００は、例えば、米国特許出願公開第２００３／００６８１５９号明細書に記載されているように、予備空間割り当てテーブル（ＲＳＡＴ）機能を有するように備えられ、ＲＳＡＴについて、その特許文献の援用により本発明の本発明の説明の一部を代替する。データ担体５００においては、ＲＳＡＴは、各々が付加された後に、ＲＳＡＴが不完全な部分の端部において書き込まれた小さいテーブルである。更に、ＲＳＡＴは、データ担体がファイナライズ処理されるときに、第１トラック５１０に書き込まれるようになっている不完全な部分に一時的に書き込まれるブロックのマッピングを有する。上記のＶＭＧ、ＶＴＳＩ、ＵＤＦ及びＩＳＯデータは、それ故、再分配されるデータの中にある。
【００２４】
ＤＶＤ  ＲＷデータ担体に比べて、ＤＶＤ  Ｒデータ担体の互換性を改善するように、本発明者は、そのようなＤＶＤデータ担体にデータコンテンツを記録するときに、互いに区別可能な映像及びデータ部分にデータ担体のデータ構造を区分することは望ましいことを認識している。例えば、図５に示している追記ＤＶＤ  Ｒデータ担体７００は、映像部分７１０及びデータ部分７２０に区分され、データ部分７２０は、例えば、ＪＰＥＧファイルのような静止画データコンテンツを記録するように用いられることが可能である。更に、各々の部分７１０、７２０は、データ担体のそれら自体の一部のディレクトリ記録を保つように備えられ、それ故、図示しているように、映像部分７１０は、記憶されている映像データコンテンツ７４０の端部にＲＳＡＴデータ７３０を有する一方、データ部分７２０は、記憶されているデータコンテンツ７６０の端部に付加されたユニバーサルディスクフォーマット（ＵＤＦ）仮想割り当てテーブル（ＶＡＴ）７５０を有する。典型的には、映像データコンテンツ７４０は、４ＧＢのオーダーのサイズを有し、データコンテンツ７６０は、サイズが７００ＭＢのオーダーである。ＲＳＡＴデータ７３０及び割り当てテーブル７５０は、相対的に非常に小さく、例えば、ＲＳＡＴデータ７３０は、好適には、サイズが１００ｋＢ以下であり、更に好適には、必要な多くの小さい更新を割り当てられるように、サイズが３２ｋＢ乃至４８ｋＢ以上である。
【００２５】
データ担体７００及びそれに関連するデータ構造が、記憶されている無視されているデータコンテンツに問い合わせする場合、データ担体７００は、最新のＤＶＤ＋ＶＲ１．２規格に適合している。更に、データ部分７２０は、同様に、ＶＡＴディレクトリテーブルの方を指す二次アンカーの終了ポインタを用いて、ＤＶＤデータ担体でコピーすることに対して、最新のＵＤＦ１．５規格及びそれらの方法と同じであるように現れる。このＶＡＴテーブルは、担体７００のデータ部分７２０のみを表し、即ち、そのテーブルは映像部分７１０には関係しない。したがって、ＶＡＴテーブルは、ＲＳＡＴ機能が更新されるとき全てにおいて、更新される必要はなく、また、ＶＡＴテーブルはデータで容易に飽和にされる。それ故、ＶＡＴテーブルは、好適には、１つの大きいファイルとして映像部分７１０を表す。本発明者は、それ故、図６に示すように、ＤＶＤ  Ｒデータ担体における部分７１０、７２０の実施は、利用可能な５つの開いているトラックが存在することを必要とする。
【００２６】
任意に、４つの開いているトラックのみを用いることが可能である。この場合、データ部分７２０のためのファイルシステムが、終了するときに、データ部分７２０の後に又は映像部分７１０に書き込まれる。更なる選択肢として、１つ又はそれ以上のトラックを、映像部分７１０とデータ部分７２０との間に有することが可能である。
【００２７】
図６においては、ＤＶＤ  Ｒデータ担体８００は、映像データコンテンツ部分８１０及びその後のデータ部分８２０を有する。映像部分８１０は、第２トラック領域８４０により後続される第１トラック領域８３０ａ、８３０ｂを有する。第１ＵＤＦアンカー（ＡＶＤＰ）を記録するために、トラック領域８３０ｂが含まれる。実際には、トラック領域８３０ａ、８３０ｂは、好適には、トータルでサイズが１Ｍｂのオーダーである。更に、データ部分８２０は、第３トラック領域８５０及び第４トラック領域８６０を有する。第２トラック領域８４０は、ＲＳＡＴ機能（Ｖ＋ＲＳＡＴ）と共に映像コンテンツデータを有するように備えられている。更に、第４トラック領域８６０は、ＶＡＴテーブル（ＶＡＴ）と共にデータを有するように備えられている。データ担体８００が“終了している”か又は“閉じている”のどちらかであるとき、部分８１０、８２０は、次のように処理される。
（ａ）ＲＳＡＴ機能は、適切であるように、第１トラック領域８３０、即ち、最新のＶＭＧ、ＶＴＳＩ、ＵＤＦ及びＩＳＯ構造についてのコンテンツのディレクトリを作成するように用いられる。
（ｂ）データ部分８２０においては、第３トラック領域８５０は、第４トラック領域の状態を反映した適切なＵＤＦ情報を書き込まれる。
【００２８】
少なくともポインタの一部は、第３トラック領域８５０に含まれるシステム情報を満たす第２部分に含まれなければならないため、ＲＳＡＴ機能は、第１トラック領域８３０ａ、８３０ｂを書き込むようには直接適用されない。
【００２９】
結論として、追記データ担体、例えば、ＤＶＤ  Ｒ型データ担体に関連して、本発明は、空間的に区別可能である複数のデータ領域を有し、それらの領域の一は映像コンテンツのために指定され、それらの領域の他の一は静止画及び画像のようなデータのために指定される。それらの領域の各々は、それら自体のディレクトリフィールドにおいて備えられ、それらのフィールドは、それらの関連付けられた対応する領域にのみ関連している。換言すれば、各々の領域は、好適には、それら自体のディレクトリの容易さを備えている。
【００３０】
上記の本発明の実施形態は、同時提出の請求項に記載しているような本発明の範囲から逸脱することなく修正されることが可能である。
【００３１】
“を有する”のような表現は、上記詳細説明及び請求項を解釈するときに非制限的であるとして解釈できる、即ち、明示的に記載されていない他のアイテム又は構成要素が存在することを可能にするとして解釈できる。構成要素の単数表現は、その構成要素の複数の存在が可能であるとして解釈でき、その逆もまた、解釈できる。
【図面の簡単な説明】
【００３２】
【図１】ＤＶＤ  ＲＷディスクデータ担体における映像及び静止画データコンテンツファイル割り当ての模式図である。
【図２】静止画データ及び映像データの両方が記録されたＤＶＤ  Ｒデータ担体の模式図である。
【図３】映像データ及び静止画データをインターリーブしたＤＶＤ  Ｒデータ担体の模式図である。
【図４】ＲＳＡＴ機能を受け入れるためのＤＶＤ＋ＶＲデータ担体を表す図である。
【図５】ＤＶＤ  ＲＷデータ担体にコピーされることを容易に可能にするために適するＤＶＤ  ＲＷデータ担体のためのデータレイアウトである。
【図６】本発明にしたがって追記ＤＶＤ  Ｒデータ担体において区分されたデータの実施例を示す図である。
【図１】
2008502088.tif 000003
【図２】
2008502088.tif 000004
【図３】
2008502088.tif 000005
【図４】
2008502088.tif 000006
【図５】
2008502088.tif 000007
【図６】
2008502088.tif 000008
【国際調査報告】
2008502088.tif 000009
2008502088.tif 000010